(57)【特許請求の範囲】
【請求項１】
室外機ケーシング（１）内に固定されると共にモータ嵌合用孔（４）を有するモータ台（２）と、ハウジング（１６）がこのモータ台（２）のモータ嵌合用孔（４）に嵌合されるモータ（３）とを備え、このモータ（３）を上記モータ台（２）に固定するための複数個の保持体（２２）を上記ハウジング（１６）の外周側に付設し、この保持体（２２）を介して上記モータ（３）を上記モータ台（２）に固定する構造を有すると共に、上記モータ（３）を上記保持体（２２）を介して上記モータ台（２）に固定する構造とは別に、上記モータ（３）のハウジング（１６）を上記モータ嵌合用孔（４）に嵌合させた状態で上記保持体（２２）に圧接してモータ非固定状態でのモータ（３）の外れを防止する支持体（１５）を上記モータ台（２）に設けた空気調和機の室外機であって、上記保持体（２２）を弾性材とすると共に、上記支持体（１５）が、モータ台（３）から起立した圧接片（１４）を備え、上記保持体（２２）の外周側を圧接片対向面（２８）とし、上記圧接片（１４）を圧接片対向面（２８）に対して斜め方向から圧接させることで、上記保持体（２２）を弾性変形させ、弾性復元力によって、モータ非固定状態でのモータ（３）の外れを防止することを特徴とする空気調和機の室外機。
【請求項２】
上記保持体（２２）に圧接する上記支持体（１５）を、複数個設けた
ことを特徴とする請求項１の空気調和機の室外機。
【発明の詳細な説明】
【０００１】
【発明の属する技術分野】
この発明は、空気調和機の室外機に関するものである。
【０００２】
【従来の技術】
図５に示すように、空気調和機の室外機のモータ５０は、室外機ケーシング５１内に固定されるモータ台５２に取付けられる。即ち、モータ台５２は、その中央部に嵌合用孔５３が貫設されると共に、この嵌合用孔５３に関して対称（上下）に孔５４、５５が貫設される矩形状板状本体５６と、この矩形状板状本体５６の下端から水平方向に延びる折曲片５７を備え、この折曲片５７が室外機ケーシング５１の底板５８に固定されている。
【０００３】
また、モータ５０は、そのハウジング５９に、モータ固定用の膨出体６１が設けられ、この膨出体６１に周方向に沿って所定ピッチ（図例では、１２０°ピッチ）で鍔部６０・・が径方向外方に突設されている。そして、各鍔部６０・・には、モータ固定用のボルト部材６２・・が挿入される保持体６３・・が付設されている。
【０００４】
モータ５０をモータ台５２に取り付けるには、モータ５０のハウジング５９をモータ台５２の嵌合用孔５３に嵌合させ、この状態で、ボルト部材６２を保持体６３に挿入すると共に、モータ台５２に設けられたネジ孔６４に螺着させればよい。
【０００５】
しかしながら、モータ取付作業は、上述の如く、モータ５０のハウジング５９をモータ台５２の嵌合用孔５３に嵌合させた後、ボルト部材６２を螺着する必要があり、この場合、嵌合させた状態で作業者がモータ５０から手を離した状態で螺着作業を行なわなければならなかった。そのため、嵌合させた状態を保持させる、即ち、モータ５０から手を離した状態でモータ５０がこの嵌合状態が解除されない（いわゆる自立させる）必要があった。
【０００６】
そのため、従来では、図６に示すように、モータ台５２の嵌合用孔５３の周縁部に、水平方向に延びる突片６５を設け、モータ５０のハウジング５９を嵌合用孔５３に嵌合させた状態で、突片６５にハウジング５９を係止させて、自立させる構造のものがあった。
【０００７】
【発明が解決しようとする課題】
ところで、従来の上記構造においては、取付け終了後、取付ばらつき等によって、モータ５０のハウジングと、モータ台５２の受片６５とが接触してしまう場合があり、接触すれば、モータ５０が駆動している際にコギング音がモータ台５２の受片６５を介して伝播して騒音が発生するという不具合が生じていた。
【０００８】
この発明は、上記従来の欠点を解決するためになされたものであって、その目的は、モータ取付時にモータ台の嵌合用孔からのモータの外れを有効に防止しながらもコギング音の伝播を防止することが可能な空気調和機の室外機を提供することにある。
【０００９】
【課題を解決するための手段】
そこで請求項１の空気調和機の室外機は、室外機ケーシング１内に固定されると共にモータ嵌合用孔４を有するモータ台２と、ハウジング１６がこのモータ台２のモータ嵌合用孔４に嵌合されるモータ３とを備え、このモータ３を上記モータ台２に固定するための複数個の保持体２２を上記ハウジング１６の外周側に付設し、この保持体２２を介して上記モータ３を上記モータ台２に固定する構造を有すると共に、上記モータ３を上記保持体２２を介して上記モータ台２に固定する構造とは別に、上記モータ３のハウジング１６を上記モータ嵌合用孔４に嵌合させた状態で上記保持体２２に圧接してモータ非固定状態でのモータ３の外れを防止する支持体１５を上記モータ台２に設けた空気調和機の室外機であって、上記保持体２２を弾性材とすると共に、上記支持体１５が、モータ台３から起立した圧接片１４を備え、上記保持体２２の外周側を圧接片対向面２８とし、上記圧接片１４を圧接片対向面２８に対して斜め方向から圧接させることで、上記保持体２２を弾性変形させ、弾性復元力によって、モータ非固定状態でのモータ３の外れを防止することを特徴としている。
【００１０】
請求項１の空気調和機の室外機では、モータ３のハウジング１６を上記モータ嵌合用孔４に嵌合させた状態、つまり、モータ３の非固定状態で支持体１５が保持体２２に圧接した状態で、モータ嵌合用孔４からのモータ３の外れを有効に防止することができる。また、モータ固定後においては、モータ３のハウジング１６とモータ台２とは非接触状態となる。しかも、保持体２２が弾性材からなるので、モータ駆動時のモータ３からの振動は保持体２２によって吸収されてモータ台２には直接的には伝わらず、コギング音が伝播するのを抑制できる。
【００１２】
また、圧接片１４が圧接片対向面２８に対して斜め方向から圧接しているので、その圧接面積が大となって、モータ３を安定して支持することができる。また、支持体１５としては、モータ台２から起立した圧接片１４を備えればよいので、その形成は簡単であり、モータ台２の構造として複雑化しない利点がある。
【００１４】
さらに、モータ台２の構造として複雑化しない利点があると共に、圧接片１４が圧接片対向面２８に圧接した状態で上記把持体２２が弾性変形して弾性復元力で保持するので、確実かつ安定した状態で保持することができる。
【００１５】
請求項２の空気調和機の室外機は、上記保持体２２に圧接する上記支持体１５を、複数個設けたことを特徴としている。
【００１６】
請求項２の空気調和機の室外機では、支持体１５による保持体２２に対する圧接が複数箇所において行われるので、モータ３の保持がより安定する。
【００１７】
【発明の実施の形態】
次に、この発明の空気調和機の室外機の具体的な実施の形態について、図面を参照しつつ詳細に説明する。図４は室外機の室外機ケーシング１内にモータ台２が固定されている状態を示し、このモータ台２にモータ３（図１と図２参照）が固定（取付け）られる。
【００１８】
モータ台２は、その中央部に嵌合用孔４が貫設されると共に、この嵌合用孔４に関して対称（上下）に孔５、５が貫設される矩形状板状本体６と、この矩形状板状本体６の下端から水平方向に延びる折曲片７とを備える。即ち、矩形状板状本体６は、嵌合用孔４が貫設される中央部６ａと、この中央部６ａから下方に延びて孔５が貫設される下部６ｂと、この中央部６ａから上方に延びて孔５が貫設される上部６ｃとからなる。なお、下部６ｂは、モータ３に付設されるプロペラファン（図示省略）と反対側に屈曲する第１片８とこの第１片８の下端から垂下される第２片９とからなり、孔５が第１片８と第２片９に跨がって形成され、上部６ｃは、モータ３に付設されるプロペラファンと反対側に屈曲する第１片１０とこの第１片１０の上端に連設される第２片（図示省略）とからなり、孔５が第１片１０と第２片に跨がって形成されている。即ち、モータ台２はその中央部６ａがプロペラファン側に膨出している形状となっている。なお、嵌合用孔４は、円孔の本体４ａとこの本体４ａの下部に連設される矩形孔からなる副部４ｂとからなり、各孔５、５は矩形孔からなる。
【００１９】
そして、モータ台２の折曲片７が、室外機ケーシング１の底板１２に固着手段を介して固着（固定）される。ここで、固着手段とは、例えば、ボルト部材（図示省略）による螺着や溶接等である。なお、上部６ｃにも、その上端に折曲片等が設けられ、この折曲片等が、室外機ケーシング１の上壁等に固定される。
【００２０】
さらに、矩形状板状本体６の中央部６ａの嵌合用孔４の周りには、周方向に沿って約９０°ピッチで配設されるネジ孔１３・・が設けられている。これは、モータ３をモータ台２に取り付けるためのものであり、勿論、図例の如く４個に限るものではなく、図５で示した従来の室外機のような１２０°ピッチで配設した３個であってもよい。
【００２１】
しかして、図２等に示すように、モータ台２には少なくとも２個の支持体１５、１５が設けられる。即ち、２個のネジ孔１３、１３（軸心に関して対称に配設される一対のネジ孔１３、１３）の近傍（外径側）に、モータ台２、具体的には、本体６の中央部６ａから起立されてなる圧接片１４、１４を備えた支持体１５、１５が設けられている。この場合、圧接片１４は、本体６の中央部６ａの一部を切り起こして形成したものである。即ち、本体６の中央部６ａに、一辺を残して矩形状のスリット孔２３を形成し、このスリットで囲まれた残部を起立させ、この起立片を上記圧接片１４とする。
【００２２】
次にモータ３は、図１と図２に示すように、ロータ等が内蔵されたハウジング１６と、このハウジング１６から突設されて図示省略のプロペラファンが付設される回転軸１７等とを備えている。ハウジング１６は、円筒形の胴部１８を有し、この胴部１８に周方向に沿って約９０°ピッチで４個の突起片１９・・が設けられている。この場合、胴部１８の外径寸法をモータ台２の嵌合用孔４の内径寸法より僅かに小さく設定する。突起片１９には、図３（ａ）（ｂ）に示すように、径方向外方に開口する切欠２０が形成されている。この切欠２０は、矩形部２０ａと、この矩形部２０ａから半円弧状の奥部２０ｂとからなり、また、この切欠端面には、矩形部２０ａから奥部２０ｂに渡ってこの切欠２０内方に突出する内鍔部２１が設けられている。
【００２３】
そして、各突起片１９には、このモータ３をモータ台２に固定するための保持体２２が装着されている。保持体２２は、弾性材、例えば、ゴムや弾性を有する合成樹脂等からなり、長方体形状の本体２３と、この本体２３から連設される円弧部２４とからなり、その周面（平面状とされる本体２３の外端面を省く）には、嵌合用溝２６が設けられている。従って、図３（ａ）の状態から矢印Ａ方向に順次この保持体２２を突起片１９の切欠２０に挿入して行けば、図３（ｂ）のように、保持体２２の嵌合用溝２６に突起片１９の内鍔部２１が嵌合し、図１と図２に示すように、保持体２２が突起片１９に装着される。
【００２４】
即ち、切欠２０の奥部２０ｂの曲率半径を保持体２２の円弧部２４の曲率半径と略同一に設定すると共に、突起片１９の内鍔部２１の肉厚Ｔと、保持体２２の嵌合用溝２６の高さ寸法Ｈとを略同一に設定し、かつ、内鍔部２１の突出寸法Ｘと保持体２２の嵌合用溝２６の深さ寸法Ｂとを略同一に設定する。勿論、切欠２０の本体２３の開口幅寸法Ｋと保持体２２の幅寸法Ｗとを略同一に設定する。なお、嵌合された際には、外端面（支持体１５が圧接する圧接片対向面２８となる。）が、突起片１９の先端より僅かに外径側に突出するように、保持体２２の長さ寸法が決定される。
【００２５】
また、保持体２２には、図１と図２に示すように、突起片１９に装着された状態で、その軸心がモータ台２のネジ孔１３に略一致する貫孔２７が設けられ、この貫孔２７に挿通される図示省略のボルト部材が、ネジ孔１３に螺着されることによってこのモータ３がモータ台２に固定される。
【００２６】
ところで、保持体２２の外端面が上記圧接片１４に対向すると圧接片対向面２８となるが、この場合、圧接片１４は圧接片対向面２８に対して斜め方向から圧接する。即ち、図１の紙面と直交する方向から見て、圧接片対向面２８と圧接片１４の保持体対向面２９とが所定角度θ（図例では、約４０°）を成すように設定されている。この場合、この所定角度θとしては、図例のものに限るものではなく、種々の角度に設定することができ、例えば、約９０°を成す場合等であってもよい。
【００２７】
従って、図１と図２に示すように、モータ３のハウジングをモータ台２の嵌合用孔４に嵌合させれば、保持体２２が弾性材からなるので、圧接片１４が圧接片対向面２８に圧接した状態で上記保持体２２が弾性変形して弾性復元力で保持することができる。即ち、保持体２２に使用する弾性材としては、図１と図２に示すように、保持体２２が弾性変形して圧接片１４の一部が嵌合状となる必要があり、また、上述の所定角度θとしても、保持体２２の材質を考慮して、圧接片１４の一部が保持体２２に食い込むような角度に設定する必要がある。
【００２８】
次に、モータ台２にモータ３を取付ける方法を説明する。まず、モータ３のハウジング１６の胴部１８をモータ台２の嵌合用孔４に嵌合させる。この際、モータ台２の圧接片１４、１４に対応する保持体２２、２２の圧接片対応面２８、２８に、それぞれ、圧接片１４、１４が圧接して、図１と図２に示すように、保持体２２、２２が弾性変形し、圧接片１４、１４の一部が保持体２２、２２に食い込む状態となる。従って、ハウジング１６がモータ台２に接触することなく、このモータ３がモータ台２に保持され、モータ３の嵌合用孔４からの外れが防される。これによって、作業者はモータ３から手を離すことができ、即ち、モータ３を自立させることができ、この状態で作業者が保持体２２の貫孔２７にボルト部材を挿通させると共に、モータ台２のネジ孔１３に螺着させれば、簡単かつ確実にモータ台２にモータ３を取付けることができる。
【００２９】
このように、モータ台２にモータ３を取付ければ、モータ３をモータ台２に対して保持体２２を介して保持することができる。従って、保持体２２が防振作用をなし、モータ３からのモータ台２への振動の伝播が防止される。即ち、モータ台２とモータ３が保持体２２の部分以外では接触しないため、コギングの伝播を抑制できる。
【００３０】
以上にこの発明の具体的な実施の形態について説明したが、この発明は上記形態に限定されるものではなく、この発明の範囲内で種々変更して実施することができる。すなわち本実施の形態では、モータ３の保持体２２は４個備えているが、勿論、図５に示した従来の室外機のような３個であっても、５個以上であってもよい。また、支持体１５としても、２個に限るものではなく、３個又は全保持体２２に対応する数であってもよいが、少なくとも２個備えれば、周方向に沿って２箇所以上でモータ３を支持することができ、取付け作業が安定する利点がある。さらに、支持体１５の圧接片１４を形成する場合、モータ台２と独立した別部材である支持体１５を形成し、この支持体１５をモータ台２に固定するようにしてもよい。即ち、モータ台２に溶接等で固定される第１片とこの第１片から立設される第２片から支持体１５を構成し、この第２片をもって圧接片１４とすればよい。また、モータ３をモータ台２に固定する手段としては、この実施の形態では、ビスのみを使用しているが、ボルトとナットとからなるボルト部材を使用してもよく、この場合では、モータ台２にネジ孔１３を形成することなく、貫孔を形成すればよい。
【００３１】
【発明の効果】
以上のように請求項１の空気調和機の室外機によれば、モータのハウジングを上記モータ嵌合用孔に嵌合させた状態、つまり、モータの非固定状態で支持体が保持体に圧接した状態で、モータ嵌合用孔からのモータの外れを有効に防止することができる。これによって、モータ取付作業時において、モータを自立させることができ、取付作業性が向上して、取付作業時間の短縮化を図ることができる。また、モータ固定（取付）後においては、モータのハウジングとモータ台とは非接触状態となり、しかも、保持体が弾性材からなるので、モータ駆動時のモータからの振動が保持体を介して伝わらず、コギング音の伝播を抑制して、騒音を軽減できる。
【００３２】
また、圧接片が圧接片対向面に対して斜め方向から圧接しているので、その圧接面積が大となって、モータを安定して支持することができる。また、支持体としては、モータ台から起立した圧接片を備えればよいので、その形成は簡単であり、モータ台の構造として複雑化しない利点がある。
【００３３】
さらに、モータ台の構造として複雑化しない利点があると共に、圧接片が圧接片対向面に圧接した状態で上記保持体が弾性変形して弾性復元力で保持するので、確実かつ安定した状態で保持することができる。
【００３４】
請求項２の空気調和機の室外機によれば、支持体による保持体に圧接が複数箇所において行われ、モータ固定時のモータの保持がより安定する。
【図面の簡単な説明】
【図１】本発明の一実施の形態である空気調和機の室外機の要部拡大正面図である。
【図２】空気調和機の室外機の要部正面図である。
【図３】モータの保持体を示し、同図（ａ）は正面図であり、同図（ｂ）は平面図である。
【図４】モータ台の斜視図である。
【図５】従来のモータ取付方法を示す斜視図である。
【図６】従来のモータ台の要部断面図である。
【符号の説明】
１  室外機ケーシング
２  モータ台
３  モータ
４  嵌合用孔
１４  圧接片
１５  支持体
１６  ハウジング
２２  保持体
２８  圧接片対向面
【図１】
0004774584.tif 000002
【図２】
0004774584.tif 000003
【図３】
0004774584.tif 000004
【図４】
0004774584.tif 000005
【図５】
0004774584.tif 000006
【図６】
0004774584.tif 000007